(57)【要約】      （修正有）【課題】利用者が端末装置で簡単な指定操作で複数のサーバから所望のデータをネットワークに悪影響を及ぼすことなく読込み、これを自由に組み合わせて操業解析用のデータファイルを短時間で作成することができ、また、複数サーバのデータを１台の端末装置で一元管理することができ、更に、端末装置を単独で更新可能としてこれ以外の余計なコストの発生を無くすこと。【解決手段】サーバ１２−１〜１２−ｎとパソコン端末装置３４−１に接続されたＷＥＢサーバ３２で、各サーバのＤＢ１１−１〜１１−ｎのデータベース名、テーブル名、項目名の一覧から任意に組合せたデータ取得条件をリレーショナルデータベース操作言語文に組み込んでデータ取得指示を作成し、この指示で選択したＤＢ接続エンジンを介して該当ＤＢ１１−１からデータを取得し、この取得データを組み込んでデータファイルを作成して端末装置３４−１に出力表示する。【選択図】図１
2008276462.tif 000002
【特許請求の範囲】
【請求項１】
データが記憶されるデータベースを有する複数のサーバと、これらサーバに通信用のネットワークを介して接続された通信情報処理用の複数の端末装置とを有し、これら端末装置にてサーバのデータベースからデータを取得してデータファイルを作成するデータファイル作成管理システムにおいて、
前記端末装置に、情報の受信閲覧処理を行うＷＥＢブラウザと、このＷＥＢブラウザの処理でネットワークを介して受信されるデータの表示、編集及び管理処理を行う表計算ソフトウェアとを備え、
前記サーバと前記端末装置間のネットワークに、前記端末装置のＷＥＢブラウザの命令に応じてデータを当該端末装置へ送信するＷＥＢサーバを接続し、
このＷＥＢサーバに、前記複数のサーバのデータベースのデータベース名と、このデータベースに存在するデータテーブルのテーブル名が登録されたマスタ定義ファイルを有する定義情報共有フォルダと、前記端末装置からの接続時に前記マスタ定義ファイルからデータを読み出して前記端末装置に、データベース名、テーブル名、テーブル内の項目名を一覧表示し、この表示された端末装置で一覧内容から任意に組合され、これに任意の条件が指定されたデータ取得条件を受信してデータ取得依頼を行う画面設定処理部と、前記複数のサーバのデータベース毎に１対１で割当てられ、この割当てられたデータベースにのみ接続する処理を行う複数のＤＢ接続エンジンと、前記データ取得依頼時のデータ取得条件をリレーショナルデータベース操作言語文に組み込んでデータ取得指示を作成し、この指示に応じて選択したＤＢ接続エンジンを介して該当データベースからデータを取得し、この取得データを組み込んでデータファイルを作成するデータファイル作成処理部とを備え、
前記端末装置にて、前記ＷＥＢブラウザで前記データファイルを受信し、このデータファイルを前記表計算ソフトウェアで編集及び管理することを特徴とするデータファイル作成管理システム。
【請求項２】
前記画面設定処理部は、前記データ取得条件を受信した際に、この受信情報を元にデータファイルのサイズを計算し、この計算サイズが、予め設定された上限値を超える場合に該当端末装置に前記データ取得条件の見直しを求めるメッセージを表示し、前記計算サイズが、前記上限値以下であれば前記データ取得条件で前記データファイル作成処理部にデータ取得依頼を行うことを特徴とする請求項１に記載のデータファイル作成管理システム。
【請求項３】
前記データファイル作成処理部は、前記データベースからの取得データのサイズが、予め定められた上限値を超える場合に該当端末装置に前記データ取得条件の見直しを求めるメッセージを表示し、前記取得データのサイズが、前記上限値以下であれば該取得データを組み込んでデータファイルを作成することを特徴とする請求項１または２に記載のデータファイル作成管理システム。
【請求項４】
前記定義情報共有フォルダに、前記データ取得条件を自由に呼出可能にマクロ化して登録したマクロ定義ファイルを保持し、前記画面設定処理部は、前記端末装置でマクロ名が指定された際に、この指定マクロ名のマクロ定義ファイルを前記定義情報共有フォルダから読込み、この内容を前記データ取得条件とすることを特徴とする請求項１から３の何れか１項に記載のデータファイル作成管理システム。
【請求項５】
データが記憶されるデータベースを有する複数のサーバと、これらサーバに通信用のネットワークを介して接続され、情報の受信閲覧処理を行うＷＥＢブラウザ及び当該ＷＥＢブラウザの処理で受信されるデータの編集及び管理処理を行う表計算ソフトウェアを有する複数の端末装置と、これら端末装置と複数のサーバ間のネットワークに接続され、ＷＥＢブラウザの命令に応じてデータを該当端末装置へ送信するＷｅｂサーバ機能を有するデータファイル作成管理装置において、
前記複数のサーバのデータベースのデータベース名と、このデータベースに存在するデータテーブルのテーブル名が登録されたマスタ定義ファイルを有する定義情報共有フォルダと、前記端末装置からの接続時に前記マスタ定義ファイルからデータを読み出して前記端末装置に、データベース名、テーブル名、テーブル内の項目名を一覧表示し、この表示された端末装置で一覧内容から任意に組合され、これに任意の条件が指定されたデータ取得条件を受信してデータ取得依頼を行う画面設定処理部と、前記複数のサーバのデータベース毎に１対１で割当てられ、この割当てられたデータベースにのみ接続する処理を行う複数のＤＢ接続エンジンと、前記データ取得依頼時のデータ取得条件をリレーショナルデータベース操作言語文に組み込んでデータ取得指示を作成し、この指示に応じて選択したＤＢ接続エンジンを介して該当データベースからデータを取得し、この取得データを組み込んでデータファイルを作成するデータファイル作成処理部と、その作成された帳票ファイルを前記端末装置のＷＥＢブラウザで受信可能に保持する作成済み帳票共有フォルダとを備えたことを特徴とするデータファイル作成管理装置。
【請求項６】
前記画面設定処理部は、前記データ取得条件を受信した際に、この受信情報を元にデータファイルのサイズを計算し、この計算サイズが、予め設定された上限値を超える場合に該当端末装置に前記データ取得条件の見直しを求めるメッセージを表示し、前記計算サイズが、前記上限値以下であれば前記データ取得条件で前記データファイル作成処理部にデータ取得依頼を行うことを特徴とする請求項５に記載のデータファイル作成管理装置。
【請求項７】
前記データファイル作成処理部は、前記データベースからの取得データのサイズが、予め定められた上限値を超える場合に該当端末装置に前記データ取得条件の見直しを求めるメッセージを表示し、前記取得データのサイズが、前記上限値以下であれば該取得データを組み込んでデータファイルを作成することを特徴とする請求項５または６に記載のデータファイル作成管理装置。
【請求項８】
前記定義情報共有フォルダに、前記データ取得条件を自由に呼出可能にマクロ化して登録したマクロ定義ファイルを保持し、前記画面設定処理部は、前記端末装置でマクロ名が指定された際に、この指定マクロ名のマクロ定義ファイルを前記定義情報共有フォルダから読込み、この内容を前記データ取得条件とすることを特徴とする請求項５から７の何れか１項に記載のデータファイル作成管理装置。
【発明の詳細な説明】
【技術分野】
【０００１】
本発明は、利用者が指定する期間や最大値及び最小値等のデータ取得条件をパソコン（パーソナルコンピュータ）等の端末装置にて設定し、この設定内容に応じて、工場の生産量等の操業に係わるデータを記憶したデータベースから必要なデータを端末装置に読込み、操業解析用のデータファイルを作成するデータファイル作成管理システム及びデータファイル作成管理装置に関する。
【背景技術】
【０００２】
従来、データベースから必要なデータを読込んでデータファイルを作成並びに管理するシステムとして、例えば図１７に示すデータファイル作成管理システム１０がある。
このデータファイル作成管理システム１０は、種々のデータが記憶される専用のＤＢ（データベース）１１−１，１１−２，１１−３，…，１１−ｎを各々が有する複数のサーバ１２−１，１２−２，１２−３，…，１２−ｎと、これらサーバ１２−１〜１２−ｎに１対１の関係で通信用のネットワーク１３を介して接続されたパソコン端末装置１４−１，１４−２，１４−３，…，１４−ｎとを備えて構成されている。
【０００３】
各パソコン端末装置１４−１〜１４−ｎは、各々が１対１で専用のサーバのＤＢに接続するためのＤＢ接続エンジン１５−１，１５−２，１５−３，…，１５−ｎと、その専用のサーバのＤＢから取得したデータを元にデータファイルを作成するデータファイル作成装置１６−１，１６−２，１６−３，…，１６−ｎとを備えている。
また、各パソコン端末装置１４−１〜１４−ｎは、同一の場所以外に異なる場所に設置されることもあり、本例ではパソコン端末装置１４−１，１４−２が事務所１７−１に設置され、パソコン端末装置１４−３，…，１４−ｎが事務所１７−ｎに設置されている。更に、各事務所１７−１，１７−ｎには、ネットワーク１３に接続されたプリンタ１８−１，１８−ｎも設置され、各パソコン端末装置１４−１〜１４−ｎで作成されたデータファイル１９−１，１９−２，１９−３，…，１９−ｎがプリントアウトされるようになっている。
【０００４】
このような構成のデータファイル作成管理システム１０によって、管理者が所望のパソコン端末装置１４−１〜１４−ｎを操作することによって、所定のサーバ１２−１〜１２−ｎのＤＢ１１−１〜１１−ｎから必要なデータを読込んで所望のデータファイルを作成し、これを画面表示やプリントアウトすることができる。
この種の従来技術として、例えば特許文献１に記載の装置がある。この特徴は、帳票データを加工して帳票を生成するときに、煩雑で面倒な手順を必要とすることなく、且つユーザにとって見易いものを提供することを目的としている。これを達成するために、クライアント端末装置とネットワークを介して接続され、帳票として表示するための帳票データを格納する帳票サーバにおいて、帳票データから、クライアント端末装置のユーザによって選択された領域に含まれる領域データを抽出し、この抽出された領域データを任意回数分繰り返し用いて、エクスポートレコードの作成を行なうといったものである。
【特許文献１】特開２００５−１９０４３６号公報
【発明の開示】
【発明が解決しようとする課題】
【０００５】
ところで、上記特許文献１によれば、帳票サーバに格納された帳票データを端末装置に読込み、これを自由に組み合わせて所望のデータファイルを作成して出力することができる。言い換えれば、予め帳票化された帳票データのみを組み合わせてデータファイル化することはできる。
しかし、帳票サーバにおける帳票データ以外のデータを選択することはできないので、工場の生産量等の操業に係わる全データを記憶したサーバから必要なデータを端末装置に読込み、これを自由に組み合わせて操業解析用のデータファイルを作成することができないという問題がある。
【０００６】
また、帳票データを端末装置に読込む際に帳票データ毎に所定の指示操作が必要であり、読込み対象の帳票データが多い場合、データ収集やデータファイル化までに時間がかかり、更に、トラフィック過多などネットワークに悪影響を及ぼすという問題がある。
また、帳票サーバが複数ある場合、サーバ毎に端末装置を用意する必要があり、１台の端末装置にて各サーバのデータを集約することができない。つまり、１台の端末装置ではこれに対応付けられている１台のサーバのデータしか取得することができないので、サーバ毎に出力されるデータを一元管理することができない。このため、各端末装置の設置場所が分散されている場合、各端末装置からデータを集めるために時間と労力を要してしまったり、各サーバのデータを比較検討するといった場合にそれを効率良く行ったりすることができないという問題がある。
【０００７】
更に、端末装置にてサーバのＤＢからデータを直接収集して帳票を作成する場合、前述で説明したように、サーバのＤＢに接続するためのＤＢ接続エンジンを端末装置にインストールする必要があるが、そのＤＢ接続エンジンは端末装置の機種やＯＳ(Operating System)に依存することがあるため、所望の端末装置を必要に応じて単独で更新することができない。更に説明すると、１台の端末装置を更新する場合であっても、システム全体の整合を取りながら必要部分のハードウエアやソフトウェアを更新しなければならず、端末装置の更新以外に余計なコストが発生してしまうという問題がある。
【０００８】
本発明は、このような課題に鑑みてなされたものであり、利用者が端末装置で簡単な指定操作で複数のサーバから所望のデータをネットワークに悪影響を及ぼすことなく読込み、これを自由に組み合わせて操業解析用のデータファイルを短時間で作成することができ、また、複数サーバのデータを１台の端末装置で一元管理することができ、更に、端末装置を単独で更新可能としてこれ以外の余計なコストの発生を無くすことができるデータファイル作成管理システム及びデータファイル作成管理装置を提供することを目的としている。
【課題を解決するための手段】
【０００９】
上記目的を達成するために、本発明の請求項１によるデータファイル作成管理システムは、データが記憶されるデータベースを有する複数のサーバと、これらサーバに通信用のネットワークを介して接続された通信情報処理用の複数の端末装置とを有し、これら端末装置にてサーバのデータベースからデータを取得してデータファイルを作成するデータファイル作成管理システムにおいて、前記端末装置に、情報の受信閲覧処理を行うＷＥＢブラウザと、このＷＥＢブラウザの処理でネットワークを介して受信されるデータの表示、編集及び管理処理を行う表計算ソフトウェアとを備え、前記サーバと前記端末装置間のネットワークに、前記端末装置のＷＥＢブラウザの命令に応じてデータを当該端末装置へ送信するＷＥＢサーバを接続し、このＷＥＢサーバに、前記複数のサーバのデータベースのデータベース名と、このデータベースに存在するデータテーブルのテーブル名が登録されたマスタ定義ファイルを有する定義情報共有フォルダと、前記端末装置からの接続時に前記マスタ定義ファイルからデータを読み出して前記端末装置に、データベース名、テーブル名、テーブル内の項目名を一覧表示し、この表示された端末装置で一覧内容から任意に組合され、これに任意の条件が指定されたデータ取得条件を受信してデータ取得依頼を行う画面設定処理部と、前記複数のサーバのデータベース毎に１対１で割当てられ、この割当てられたデータベースにのみ接続する処理を行う複数のＤＢ接続エンジンと、前記データ取得依頼時のデータ取得条件をリレーショナルデータベース操作言語文に組み込んでデータ取得指示を作成し、この指示に応じて選択したＤＢ接続エンジンを介して該当データベースからデータを取得し、この取得データを組み込んでデータファイルを作成するデータファイル作成処理部とを備え、前記端末装置にて、前記ＷＥＢブラウザで前記データファイルを受信し、このデータファイルを前記表計算ソフトウェアで編集及び管理することを特徴とする。
【００１０】
この構成によれば、端末装置に取得先のデータベース名、テーブル名、テーブル内の項目名を一覧表示し、この表示された端末装置で、利用者が一覧内容から取得希望のデータを任意に組合せ、これに任意（データの取得期間、最大値、最小値、範囲、並び順、グルーピング等）の条件を指定したデータ取得条件を設定するといった簡単な指定操作で、複数のサーバから所望のデータを読込み、これを自由に組み合わせて操業解析用のデータファイルを短時間で作成することができる。
【００１１】
また、１台の端末装置において任意の接続先のデータベースを指示（接続先指示）して該当サーバ内のデータベースからデータファイルを端末装置で受信することができるので、１台の端末装置にて各サーバのデータベースのデータを受信して一元管理することができる。これによって、各端末装置の設置場所が分散されている場合でも、どの端末装置においても各サーバのデータベースに記憶されたデータを容易に収集することができ、各サーバのデータを比較検討するといったことも容易に行うことができる。
【００１２】
更に、このように１台の端末装置にて各サーバからデータを収集してデータを作成する構成を、ネットワークに１台のＷＥＢサーバを接続すると共に、各端末装置に標準的なＷＥＢブラウザと表計算ソフトウェアを実装するのみで実現可能なので、低コストで実現することができる。更には、従来のように端末装置毎にＤＢ接続エンジンを実装しなくてもよいので、所望の端末装置を必要に応じて単独で更新することができる。この場合、従来であれば１台の端末装置の更新時にシステム全体の他の必要部分も更新しなければならず端末装置の更新以外に余計なコストが発生していたが、この余計なコストの発生が無くなるので、その分、低コストで実現することができる。
【００１３】
また、本発明の請求項２によるデータファイル作成管理システムは、請求項１において、前記画面設定処理部は、前記データ取得条件を受信した際に、この受信情報を元にデータファイルのサイズを計算し、この計算サイズが、予め設定された上限値を超える場合に該当端末装置に前記データ取得条件の見直しを求めるメッセージを表示し、前記計算サイズが、前記上限値以下であれば前記データ取得条件で前記データファイル作成処理部にデータ取得依頼を行うことを特徴とする。
【００１４】
この構成によれば、データ取得条件で依頼されるデータファイルの計算サイズが所定の上限値を超えている場合は、データ取得が行われず再度取得条件の見直しが促されるので、作業負荷及びネットワーク負荷の低減効果がある。従って、利用者が端末装置で簡単な指定操作で複数のサーバから所望のデータをネットワークに悪影響を及ぼすことなく読込み、これを自由に組み合わせて操業解析用のデータファイルを短時間で作成することができる。
【００１５】
また、本発明の請求項３によるデータファイル作成管理システムは、請求項１または２において、前記データファイル作成処理部は、前記データベースからの取得データのサイズが、予め定められた上限値を超える場合に該当端末装置に前記データ取得条件の見直しを求めるメッセージを表示し、前記取得データのサイズが、前記上限値以下であれば該取得データを組み込んでデータファイルを作成することを特徴とする。
この構成によれば、データベースからの取得データのサイズが所定の上限値を超えている場合は、その後のデータファイル作成並びに端末装置への送信の処理が行われず再度取得条件の見直しが促されるので、作業負荷及びネットワーク負荷の低減効果がある。
【００１６】
また、本発明の請求項４によるデータファイル作成管理システムは、請求項１から３の何れか１項において、前記定義情報共有フォルダに、前記データ取得条件を自由に呼出可能にマクロ化して登録したマクロ定義ファイルを保持し、前記画面設定処理部は、前記端末装置でマクロ名が指定された際に、この指定マクロ名のマクロ定義ファイルを前記定義情報共有フォルダから読込み、この内容を前記データ取得条件とすることを特徴とする。
この構成によれば、データ取得条件の入力を容易に行うことができる。
【００１７】
また、本発明の請求項５によるデータファイル作成管理装置は、データが記憶されるデータベースを有する複数のサーバと、これらサーバに通信用のネットワークを介して接続され、情報の受信閲覧処理を行うＷＥＢブラウザ及び当該ＷＥＢブラウザの処理で受信されるデータの編集及び管理処理を行う表計算ソフトウェアを有する複数の端末装置と、これら端末装置と複数のサーバ間のネットワークに接続され、ＷＥＢブラウザの命令に応じてデータを該当端末装置へ送信するＷｅｂサーバ機能を有するデータファイル作成管理装置において、前記複数のサーバのデータベースのデータベース名と、このデータベースに存在するデータテーブルのテーブル名が登録されたマスタ定義ファイルを有する定義情報共有フォルダと、前記端末装置からの接続時に前記マスタ定義ファイルからデータを読み出して前記端末装置に、データベース名、テーブル名、テーブル内の項目名を一覧表示し、この表示された端末装置で一覧内容から任意に組合され、これに任意の条件が指定されたデータ取得条件を受信してデータ取得依頼を行う画面設定処理部と、前記複数のサーバのデータベース毎に１対１で割当てられ、この割当てられたデータベースにのみ接続する処理を行う複数のＤＢ接続エンジンと、前記データ取得依頼時のデータ取得条件をリレーショナルデータベース操作言語文に組み込んでデータ取得指示を作成し、この指示に応じて選択したＤＢ接続エンジンを介して該当データベースからデータを取得し、この取得データを組み込んでデータファイルを作成するデータファイル作成処理部と、その作成された帳票ファイルを前記端末装置のＷＥＢブラウザで受信可能に保持する作成済み帳票共有フォルダとを備えたことを特徴とする。
【００１８】
この構成によれば、端末装置に取得先のデータベース名、テーブル名、テーブル内の項目名を一覧表示し、この表示された端末装置で、利用者が一覧内容から取得希望のデータを任意に組合せ、これに任意（データの取得期間、最大値、最小値、範囲、並び順、グルーピング等）の条件を指定したデータ取得条件を設定するといった簡単な指定操作で、複数のサーバから所望のデータを読込み、これを自由に組み合わせて操業解析用のデータファイルを短時間で作成することができる。また、１台の端末装置にて各サーバのデータベースのデータを受信して一元管理することができる。更に、このように１台の端末装置にて各サーバからデータを収集してデータを作成する構成を、ネットワークに１台のＷＥＢサーバを接続すると共に、各端末装置に標準的なＷＥＢブラウザと表計算ソフトウェアを実装するのみで実現可能なので、低コストで実現することができる。
【００１９】
また、本発明の請求項６によるデータファイル作成管理装置は、請求項５において、前記画面設定処理部は、前記データ取得条件を受信した際に、この受信情報を元にデータファイルのサイズを計算し、この計算サイズが、予め設定された上限値を超える場合に該当端末装置に前記データ取得条件の見直しを求めるメッセージを表示し、前記計算サイズが、前記上限値以下であれば前記データ取得条件で前記データファイル作成処理部にデータ取得依頼を行うことを特徴とする。
【００２０】
この構成によれば、データ取得条件で依頼されるデータファイルの計算サイズが所定の上限値を超えている場合は、データ取得が行われず再度取得条件の見直しが促されるので、作業負荷及びネットワーク負荷の低減効果がある。従って、利用者が端末装置で簡単な指定操作で複数のサーバから所望のデータをネットワークに悪影響を及ぼすことなく読込み、これを自由に組み合わせて操業解析用のデータファイルを短時間で作成することができる。
【００２１】
また、本発明の請求項７によるデータファイル作成管理装置は、請求項５または６において、前記データファイル作成処理部は、前記データベースからの取得データのサイズが、予め定められた上限値を超える場合に該当端末装置に前記データ取得条件の見直しを求めるメッセージを表示し、前記取得データのサイズが、前記上限値以下であれば該取得データを組み込んでデータファイルを作成することを特徴とする。
この構成によれば、データベースからの取得データのサイズが所定の上限値を超えている場合は、その後のデータファイル作成並びに端末装置への送信の処理が行われず再度取得条件の見直しが促されるので、作業負荷及びネットワーク負荷の低減効果がある。
【００２２】
また、本発明の請求項８によるデータファイル作成管理装置は、請求項５から７の何れか１項において、前記定義情報共有フォルダに、前記データ取得条件を自由に呼出可能にマクロ化して登録したマクロ定義ファイルを保持し、前記画面設定処理部は、前記端末装置でマクロ名が指定された際に、この指定マクロ名のマクロ定義ファイルを前記定義情報共有フォルダから読込み、この内容を前記データ取得条件とすることを特徴とする。
この構成によれば、データ取得条件の入力を容易に行うことができる。
【発明の効果】
【００２３】
以上説明したように本発明によれば、利用者が端末装置で簡単な指定操作で複数のサーバから所望のデータをネットワークに悪影響を及ぼすことなく読込み、これを自由に組み合わせて操業解析用のデータファイルを短時間で作成することができ、また、複数サーバのデータを１台の端末装置で一元管理することができ、更に、端末装置を単独で更新可能としてこれ以外の余計なコストの発生を無くすことができるという効果がある。
【発明を実施するための最良の形態】
【００２４】
以下、本発明の実施の形態を、図面を参照して説明する。但し、本明細書中の全図において相互に対応する部分には同一符号を付し、重複部分においては後述での説明を適時省略する。
図１は、本発明の実施の形態に係るデータファイル作成管理システムの構成を示すブロック図である。
図１に示すデータファイル作成管理システム３０が、従来のデータファイル作成管理システム１０と異なる点は、ネットワーク１３に本発明の特徴要素であるデータファイル作成管理装置としてＷＥＢ(World Wide Web)サーバ３２を接続し、各事務所１７−１，１７−ｎにおいてネットワーク１３に接続されて設置された各パソコン端末装置３４−１，３４−２，３４−３，…，３４−ｎに、図２に示すＷＥＢブラウザ４１と表計算ソフトウェア４２を備えたことにある。但し、図２には各パソコン端末装置３４−１〜３４−ｎのうちパソコン端末装置３４−１を代表して示した。
【００２５】
ＷＥＢブラウザ４１は、ネットワーク１３を介してＷＥＢサーバ３２に接続してデータ送受信を行い、更にそのためのユーザに対する操作指示を行う処理を実行するソフトウェアである。
表計算ソフトウェア４２は、ＷＥＢサーバ３２からダウンロードされたデータファイル４３を起動、編集、印字するための処理を行うソフトウェアである。
ＷＥＢサーバ３２は、ＷＥＢブラウザ４１とネットワーク１３を介してデータの送受信を行うコンピュータであって、マクロ管理処理部５１と、画面設定処理部５２と、データファイル作成処理部５３と、データファイル出力処理部５４と、複数のＤＢ接続エンジン５５−１〜５５−ｎと、定義情報共有フォルダ５６と、作成済みデータファイル共有フォルダ５７とを備えて構成されている。
【００２６】
各ＤＢ接続エンジン５５−１〜５５−ｎは、ＤＢ接続エンジン５５−１がＤＢ１１−１に割当てられ、…、ＤＢ接続エンジン５５−ｎがＤＢ１１−ｎに割当てられており、後述で詳細に説明するように、パソコン端末装置（例えば３４−１）の操作入力指示に応じたＷＥＢサーバ３２での項目名取得指示又はデータ取得指示に応じて、そのパソコン端末装置３４−１をＷＥＢサーバ３２を介して、割当てられたＤＢ１１−１に接続する。
定義情報共有フォルダ５６には、複数のユーザＡ，Ｂに対応するマクロ定義ファイル群６１Ａ，６１Ｂと、ＤＢマスタ定義ファイル６２と、テーブルマスタ定義ファイル６３とが保存される。作成済みデータファイル共有フォルダ５７には、データファイル４３が保存される。なお、ＤＢマスタ定義ファイル６２及びテーブルマスタ定義ファイル６３でマスタ定義ファイルを構成する。
【００２７】
ここで、ＤＢマスタ定義ファイル６２の一例を図３に示す。ＤＢマスタ定義ファイル６２には、第１〜第ｎの工場の操業データが個別に格納される各ＤＢ１１−１〜１１−ｎのＤＢ名として、各工場の名称である工場１、工場２、〜工場ｎが登録され、更に、それら工場名が付与されたＤＢ１１−１〜１１−ｎ毎に対応するテーブルマスタ定義ファイル６３のファイル名としてテーブルマスタ１、テーブルマスタ２、〜テーブルマスタｎが登録されている。
【００２８】
更に、テーブルマスタ定義ファイル６３の一例として、図４に上記のテーブルマスタ１の定義ファイル６３−１を示す。このテーブルマスタ１の定義ファイル６３−１は、図３に示したＤＢマスタ定義ファイル６２のテーブルマスタ名の先頭に定義されているテーブルマスタ１に対応するものである。また、同ＤＢマスタ定義ファイル６２のテーブルマスタ名には、その他にテーブルマスタ２と３が定義されているが、これらにも上記同様にテーブルマスタ２と３の定義ファイル（図示せず）が存在する。つまり、ＤＢマスタ定義ファイル６２のテーブルマスタ名がテーブルマスタ定義ファイル６３のファイル名になっている。
【００２９】
また、テーブルマスタ定義ファイル６３の中身は、図４のテーブルマスタ１の定義ファイル６３−１に示すように、ＤＢ名と、このＤＢに存在するテーブルの名称（テーブル名）が登録されている。この登録されるテーブル名は、利用者の要望により決定するが、基本的には全てのテーブル名を登録するようになっている。
また、図５にマクロ定義ファイルの一例として、工場１の端末情報のマクロ定義ファイル６１Ｃ−１を示す。これは、パソコン端末装置３４−１に図６に示すように表示されるデータ取得条件設定画面６５において、新規ボタン６５ａ，６５ｂの押下で新規に登録されるユーザＣのマクロ定義ファイル６１Ｃ−１であり、定義情報共有フォルダ５６に新規に追加される。このマスタ定義ファイルには、プロコン名、検索カラム、期間条件、その他条件の各データが含まれる。
【００３０】
なお、マクロとは、一般的なコンピュータ言語であり、一連の決まった処理を登録しておき、後で呼び出して実行するための機能である。更に説明すれば、アプリケーションソフトの操作を自動化する機能であり、表計算ソフト、ワープロソフトなどに搭載されている。このようなマクロを利用することで、複数の操作を一度に処理することができるようになっている。本例では、ユーザ毎に、ＤＢ名、テーブル名、項目名及び取得条件がマクロとして保存される。
【００３１】
図２に戻り、マクロ管理処理部５１は、マクロ定義ファイル群６１Ａ，６１Ｂに保存されたマクロのユーザ名をフォルダで保持しており、パソコン端末装置３４−１に表示されるデータ取得条件設定画面６５でマクロ呼出操作が行われると、これに応じた保存中のユーザ名に対応するマクロをマクロ定義ファイル群６１Ａ，６１Ｂから読込み、この読込まれたマクロのＤＢ名、テーブル名、項目名及び取得条件を、該当データ取得条件設定画面６５に表示する処理を行う。
【００３２】
また、マクロ管理処理部５１は、データ取得条件設定画面６５でのユーザ操作によるマクロの新規追加、削除の指示に応じて、該当のユーザ名及びマクロの新規追加、削除の処理を行う。この削除処理は、マクロやユーザ名を勝手に削除されないように、図７に示すマクロの削除ボタン６６ｃ，６６ｄが表示される管理者用のデータ取得条件設定画面６６で実行され、これは管理者しか開くことが出来ないようになっている。また、この削除処理においては、当該マクロ管理処理部５１に保存されたユーザ名のフォルダを削除すると共に、定義情報共有フォルダ５６に保持されたその削除対象のユーザ名に対応するマクロ定義ファイル群６１Ａ，６１Ｂを削除する。
【００３３】
画面設定処理部５２は、パソコン端末装置３４−１からＷＥＢブラウザ４１を介してＷＥＢサーバ３２に接続が行われた際に、定義情報共有フォルダ５６に保存されたＤＢマスタ定義ファイル６２及びテーブルマスタ定義ファイル６３を参照して、工場名（ＤＢ名）毎のテーブル名を含むデータ取得条件設定画面６５の表示用情報を、そのパソコン端末装置３４−１へ送信する。また、その送信によってパソコン端末装置３４−１に表示されたデータ取得条件設定画面６５にて接続先ＤＢ名及びテーブル名が指定された際に、その指定テーブルの項目名の取得依頼を、データファイル作成処理部５３に対して行う。
【００３４】
データファイル作成処理部５３は、画面設定処理部５２から項目名の取得依頼があった場合に、この指定テーブルの項目名の取得を該当ＤＢ接続エンジン５５−１〜５５−ｎに指示し、更に、この指示に応じたＤＢ接続エンジン５５−１〜５５−ｎにより接続先ＤＢ１１−１〜１１−ｎから指定テーブルの項目名を取得した際に、この項目名を画面設定処理部５２へ通知する。この通知された項目名は、画面設定処理部５２から該当パソコン端末装置３４−１へ送信される。
【００３５】
また、画面設定処理部５２は、パソコン端末装置３４−１で指定されたテーブル名、項目名及び取得条件を受信した際に、この受信情報を元にデータファイルのサイズを計算する。この計算サイズが、予め設定された上限値を超える場合は、該当パソコン端末装置３４−１に、図８に一例を示すように、条件の見直しを求めるメッセージ７１を表示する。また、上限値以下であればデータファイル作成処理部５３にデータ取得依頼を行う。
この他マクロ使用時には、画面設定処理部５２は、パソコン端末装置３４−１で呼出されたマクロに登録されていたＤＢ名、テーブル名、項目名及び取得条件をマクロ定義ファイル群６１Ａ，６１Ｂから受け取った際に、この受け取り情報を元にデータファイル作成処理部５３にデータ取得依頼を行う。
【００３６】
これら何れかのデータ取得依頼の場合、データファイル作成処理部５３は、該当ＤＢ接続エンジン５５−１〜５５−ｎにデータ取得指示を行い、この指示に応じたデータ取得の完了後、この完了をデータファイル出力処理部５４に通知する。また、その取得データをファイル（データファイル）として作成し、そのデータファイルのサイズを確認し、予め設定されている上限値を超えた場合は、画面設定処理部５２を介して該当パソコン端末装置３４−１に、図９に一例を示すように、条件の見直しを求めるメッセージ７２を表示する。また、上限値以下の場合は、先に作成したデータファイル４３を作成済みデータファイル共有フォルダ５７に保存する。
【００３７】
データファイル出力処理部５４は、データファイル作成処理部５３からデータ取得完了が通知された際に該当のパソコン端末装置３４−１に、図１０に示すデータファイルダウンロード通知画面７３の表示用情報を送信する。また、その画面７３でダウンロードボタン７３ａがクリックされた際に、データファイルを表示するか保存するかを選択するための画面として図１１に示すデータファイルダウンロード決定画面７４の表示用情報を該当パソコン端末装置３４−１へ送信する。
【００３８】
ここで、パソコン端末装置３４−１に表示されたデータファイルダウンロード決定画面７４において、開くボタン７４ａがクリックされた場合、表計算ソフトウェア４２によって作成済みデータファイル共有フォルダ５７からデータファイル４３がダウンロードされ、図１２に一例を示すようにデータファイル一覧表７５が表示される。また、保存ボタン７４ｂがクリックされた場合、表計算ソフトウェア４２によってデータファイル４３がダウンロードされて指定保存場所に記憶される。キャンセルボタン７４ｃがクリックされた場合はデータファイルダウンロード決定画面７４の表示が終了となる。
【００３９】
次に、このような構成のデータファイル作成管理システム３０によるデータファイル４３を作成及び管理する際の動作を説明する。但し、各サーバ１２−１〜１２−ｎのＤＢ１１−１〜１１−ｎには、ＤＢ１１−１に第１の工場、ＤＢ１１−２に第２の工場、ＤＢ１１−３に第３の工場、〜ＤＢ１１−ｎに第ｎの工場の各情報が格納されているとする。
最初に、マクロを使用しない場合の動作を説明する。
【００４０】
図２に破線矢印で示すステップＳ１において、パソコン端末装置３４−１でユーザによるデータファイル作成管理のための初期操作が行われ、これに応じてＷＥＢブラウザ４１を介してＷＥＢサーバ３２への接続後、画面設定処理部５２のデータ取得条件設定画面６５の表示用情報のＷＥＢアドレスに接続があったとする。
この場合、ステップＳ２において、画面設定処理部５２によって、図３に示すＤＢマスタ定義ファイル６２と、このファイル６２の先頭に登録されたＤＢ名である工場１のテーブルマスタ１に対応する図４に示すテーブルマスタ１の定義ファイル６３−１とが読み込まれ、ステップＳ３において、それらファイル６２，６３−１が、データ取得条件設定画面６５の表示用情報と共にパソコン端末装置３４−１へ送信される。
【００４１】
そして、パソコン端末装置３４−１に、図６に示すデータ取得条件設定画面６５が表示され、ＤＢ名枠６５ｅにＤＢマスタ定義ファイル６２の先頭の情報である「工場１」が表示され、テーブル名枠６５ｆにテーブルマスタ１の定義ファイル６３−１の先頭の情報である「Ａテーブル」が表示される。
この表示されたデータ取得条件設定画面６５において、ステップＳ４において、「Ａテーブル」が選択されると、ステップＳ５において、画面設定処理部５２からデータファイル作成処理部５３に対して、Ａテーブルの項目名の一覧の取得が依頼される。
【００４２】
この項目名の取得依頼に応じて、データファイル作成処理部５３では、接続先ＤＢとして「工場１」、テーブル名として「Ａテーブル」の情報がリレーショナルデータベース操作言語文に組み込まれ、この言語文の情報をもとに、ステップＳ６において、項目名取得指示が接続先ＤＢ「工場１」に対応するＤＢ接続エンジン５５−１を介してサーバ１２−１に行われる。この指示に応じて、ステップＳ７において、そのサーバ１２−１のＤＢ１１−１から「Ａテーブル」の項目名が取得され、ステップＳ８において、画面設定処理部５２へ通知される。
【００４３】
この通知を受けた画面設定処理部５２によって、ステップＳ９において、「Ａテーブル」の項目名の一覧の情報がパソコン端末装置３４−１へ送信され、図６に示すように、データ取得条件設定画面６５の項目名選択枠６５ｇに、「Ａテーブル」の項目名称一覧が表示される。この項目名には、更新時分秒、年月日のデータ取得条件であるデータがＤＢに取得された期間も表示される。なお、データ取得条件として、データの取得期間、最大値、最小値、範囲、並び順、グルーピング等の任意の条件を設定するようにしてもよい。
【００４４】
ところで、上記ステップＳ３及びＳ４において、パソコン端末装置３４−１に表示されたデータ取得条件設定画面６５にてＤＢ名枠６５ｅで異なるＤＢ名が選択された場合、上記ステップＳ４〜Ｓ９と同様の流れで、そのＤＢ名に対応するテーブルマスタファイルが読み込まれて、テーブル名枠６５ｆにテーブルマスタファイルの先頭に登録されたテーブル名が表示され、項目名選択枠６５ｇにそのテーブルの項目名称一覧が表示される。
【００４５】
同様に上記ステップＳ３及びＳ４において、データ取得条件設定画面６５にてテーブル名枠６５ｆで異なるテーブル名が選択された場合、ステップＳ９において項目名選択枠６５ｇにその選択されたテーブルの項目名称一覧が表示される。
この表示後、ステップＳ１０でデータ取得条件設定画面６５において、項目名選択枠６５ｇからユーザが取得したい項目名称を選択（クリック）し、画面中央の選択＞＞＞ボタン６５ｈを押下することで、選択済みカラム枠６５ｉに項目名称がコピーされる。ここで、ユーザが間違えて選択した項目は選択済みカラム枠６５ｉで削除したい項目名称を選択（クリック）したのち選択解除ボタン６５ｊを押下することで削除される。
【００４６】
上記の操作によって、必要な項目を全て選択済みカラム枠６５ｉにコピーした後、画面左下段の取得条件枠６５ｋに条件を入力する。例えば、項目１の値が−ＦＭであるレコードを抽出する場合は、取得条件枠６５ｋの上の段で項目１を選択し、左下の段で数学記号として＝を選択し、右下の段で値としでＦＭ−を入力後、画面中央下段の設定＞＞＞ボタン６５ｍを押下することで、取得条件枠６５ｋで設定した取得条件が設定済み取得条件枠６５ｎに文章として変換表示される。更に条件を追加する場合は、キーボードのＯＲかＡＮＤで取得条件枠６５ｋの上方の「また」もしくは「か」を選択し、再び取得条件枠６５ｋで項目と記号の値を選択して、設定＞＞＞ボタン６５ｍを押下することで、取得条件枠６５ｋで設定した取得条件が設定済み取得条件枠６５ｎに文章として変換表示される。この操作によって、取得したいデータの最大値及び最小値などのデータ抽出条件も設定される。
【００４７】
但し、設定済み取得条件枠６５ｎの文章は直接編集可能であり、複雑な取得条件を記述可能である。また文章全体を消去したい場合はクリアボタン６５ｐを押下する。
ここで、選択済みカラム枠６５ｉ及び設定済み取得条件枠６５ｎを設定し終え変更が無ければ、画面右上段にあるダウンロードボタン６５ｑを押下する。
この押下によって、画面設定処理部５２がダウンロード指示を受け、ステップＳ１１において、上記ステップＳ１０にてデータ取得条件設定画面６５で設定されたデータ取得条件でのデータ取得依頼が、データファイル作成処理部５３に対して行われる。
【００４８】
このデータ取得依頼を受けたデータファイル作成処理部５３では、そのデータ取得条件が解析され、これに応じて接続先ＤＢ、テーブル名、データ項目名、取得条件の情報が取得される。
ここで前段階のデータサイズ上限値チェックとして、抽出する項目数が計算され、予め定められた１項目のデータサイズとの積が計算されることで全体のデータサイズが計算される。この計算サイズが上限値を超えている場合は、図８に示した取得条件での上限値チェックの通り、パソコン端末装置３４−１にメッセージ７１が表示され、以降の処理は停止され、再度取得条件の見直しが促される。
これによって、以降の処理が停止される為、作業負荷及びネットワーク負荷の低減効果がある。
【００４９】
一方、上限値チェックを通過した場合は、データファイル作成処理部５３によって、対応するＤＢ接続エンジン５５−１が選択され、データ取得条件の情報がリレーショナルデータベース操作言語文に組み込まれ、この言語文の情報をもとに、ステップＳ１２において、データ取得指示がＤＢ接続エンジン５５−１を介してサーバ１２−１に行われる。この指示に応じて、ステップＳ１３において、そのサーバ１２−１のＤＢ１１−１から目的のデータが取得される。
【００５０】
そして、データファイル作成処理部５３では、その取得データがＣＳＶ(Comma Separated Value)形式に変更され、このＣＳＶファイルの実サイズが、後段階のデータサイズ上限値と比較されてチェックされる。この結果、ＣＳＶファイルの実サイズが上限値を超えている場合は、図９に示した実ファイルによる上限値チェックの通り、パソコン端末装置３４−１にメッセージ７２が表示され、以降の処理は停止され、再度取得条件の見直しが促される。
【００５１】
一方、上限値以下の場合は、ステップＳ１４において、その作成されたデータファイル４３が、作成済みデータファイル共有フォルダ５７に例えばファイル名「ＤＬ  ２００６１１３０  ７５１０，ｃｓｖ」として保存される。
上記の上限値チェックにもとづく以降の停止処理の機能はダウンロードを停止する為、ネットワーク負荷の低減効果がある。但し、その作成済みデータファイル共有フォルダ５７の共有設定を有効にしてフォルダの中身を操作可能にしておけば、上限値を超えたデータファイルでも獲得することが可能となる。
【００５２】
更に、上限値チェックを通過した場合、データファイル作成処理部５３では、ステップＳ１５において、完了通知をデータファイル出力処理部５４へ行う。
この完了通知を受けたデータファイル出力処理部５４では、上記のデータ取得条件でデータファイル４３が作成できた通知として、ステップＳ１６において、図１０に示したデータファイルダウンロード通知画面７３の表示用情報を該当パソコン端末装置３４−１へ送信し、これによってその画面７３が表示される。
【００５３】
ステップＳ１７で、その画面７３において、ダウンロードボタン７３ａがクリックされると、データファイル出力処理部５４では、ステップＳ１８において、作成データファイル４３を表示するか保存するかを選択する画面として図１１に示したデータファイルダウンロード決定画面７４の表示用情報を該当パソコン端末装置３４−１へ送信し、これによってその画面７４が表示される。
【００５４】
この画面７４で、ステップＳ１９において、開くボタン７４ａがクリックされた場合、表計算ソフトウェア４２によってステップＳ２０で作成済みデータファイル共有フォルダ５７からデータファイル４３がダウンロードされ、図１２に示したようにデータファイル一覧表７５が表示される。また、ステップＳ１９において、保存ボタン７４ｂがクリックされた場合、表計算ソフトウェア４２によってステップＳ２１でデータファイル４３がダウンロードされて指定保存場所に記憶される。
なお、キャンセルボタン７４ｃがクリックされた場合はデータファイルダウンロード決定画面７４の表示が終了となる。
【００５５】
次に、マクロを使用する場合の動作を説明する。
ユーザ名とマクロ名の新規の登録、登録マクロの呼出、削除する何れの場合も、パソコン端末装置３４−１でのユーザ操作に応じたマクロ管理処理部５１の処理によって行われる。
まず、新規登録の場合、ステップＳ２２において、ユーザが、データ取得条件設定画面６５の最上段にあるユーザ名枠６５ｒの横にある新規ボタン６５ａを押下すると、図１３に示す新規ユーザ登録画面８１が表示され、この画面８１で「ユーザＣ」と入力し、ＯＫボタン８１ａを押下すると、ステップＳ２３において、新規ユーザＣが登録される。
【００５６】
続けてステップＳ２２において、データ取得条件設定画面６５の最上段にあるマクロ名枠６５ｓの横にある新規ボタン６５ｂを押下すると、図１４に示す新規マクロ登録画面８２が表示され、この画面８２で［工場１の端末情報］と入力し、ＯＫボタン８２ａを押下すると、ステップＳ２３において、新規マクロが登録される。
この登録時には、定義情報共有フォルダ５６にユーザＣのフォルダが作成され、このフォルダ内に図５にも示す［工場１の端末情報］という名称のマクロ定義ファイル６１Ｃ−１が作成される。
【００５７】
次に、登録マクロを呼出す場合、ステップＳ２４において、データ取得条件設定画面６５で、上記ステップＳ２２で登録されたユーザ及びマクロの呼び出し操作を行う。これによって、データ取得条件設定画面６５の最上段にあるユーザ名枠６５ｒにユーザ一覧が表示される。この中からユーザＣを選択すると、ステップＳ２５において、ユーザＣで登録されているマクロ一覧が、マクロ名枠６５ｓに一覧表示される。この中から［工場１の端末情報］を選択して、ユーザ名枠６５ｒの横にある設定呼出ボタン６５ｔを押下すると、設定済み取得条件枠６５ｎにデータ取得条件が表示される。
【００５８】
このようにデータ取得条件設定画面６５でマクロの取得条件を呼び出し、ステップＳ２６において、ダウンロードボタン６５ｑを押下すれば、上記ステップＳ１０で説明した条件を設定する負荷を軽減して、ステップＳ２７において、データ取得が可能になる。もちろん条件を一部見直してダウンロードしても良い。
この他、データ取得条件を一部変更して再び保存したい場合は、上記ステップＳ２４で呼び出した条件を上記ステップＳ２２で修正後、マクロ名枠６５ｓの横にある設定保存ボタン６５ｕを押下すると、ユーザ名枠６５ｒ及びマクロ名枠６５ｓに表示されたユーザ名とマクロ名に、変更した取得条件が上書きされる。
【００５９】
また、ユーザとマクロの削除は管理者のみが可能であるため、ステップＳ２８において、管理者によって例えばパソコン端末装置３４−１で管理者用アドレスが指定されてＷＥＢブラウザ４１でＷＥＢサーバ３２に接続されると、図７に示した管理者用のデータ取得条件設定画面６６が表示される。
この画面６６の上段に削除ボタン６６ｃ，６６ｄが用意されているので、マクロを削除する場合は、事前に削除したいマクロを設定呼出ボタン６５ｔの押下で表示させ、削除ボタン６６ｃを押下することにより、図１５に示すマクロ削除画面８３が表示される。この画面８３でＯＫボタン８３ａを押下することにより、選択したマクロが削除される。
【００６０】
また、ユーザ配下にあるマクロを全て削除すれば、ユーザも削除できる。同様に削除ボタン６６ｄを押下することにより、図１６に示すユーザ削除画面８４が表示される。この画面でＯＫボタン８４ａを押下することにより、選択したユーザが削除される。
このように、本実施の形態のデータファイル作成管理システム３０によれば、利用者がパソコン端末装置３４−１で簡単な指定操作で複数のサーバ１２−１〜１２−ｎから所望のデータをネットワーク１３に悪影響を及ぼすことなく読込み、これを自由に組み合わせて操業解析用のデータファイル４３を短時間で作成することができる。
また、複数サーバ１２−１〜１２−ｎのデータを１台のパソコン端末装置３４−１で一元管理することができ、更に、パソコン端末装置３４−１を単独で更新可能としてこれ以外の余計なコストの発生を無くすことができる。
【図面の簡単な説明】
【００６１】
【図１】本発明の実施の形態に係るデータファイル作成管理システムの構成を示すブロック図である。
【図２】上記データファイル作成管理システムにおける特徴要素のブロック構成と、制御及びデータの流れを示す図である。
【図３】ＤＢマスタ定義ファイルの例を示す図である。
【図４】テーブルマスタ１の定義ファイルの例を示す図である。
【図５】工場１の端末情報のマクロ定義ファイルの例を示す図である。
【図６】データ取得条件設定画面の例を示す図である。
【図７】管理者用のデータ取得条件設定画面の例を示す図である。
【図８】データ取得条件での上限値チェックの結果が超過の場合のメッセージ表示例を示す図である。
【図９】実ファイルによる上限値チェックの結果が超過の場合のメッセージ表示例を示す図である。
【図１０】データファイルダウンロード通知画面の例を示す図である。
【図１１】データファイルダウンロード決定画面の例を示す図である。
【図１２】データファイル一覧表の例を示す図である。
【図１３】新規ユーザ登録画面の例を示す図である。
【図１４】新規マクロ登録画面の例を示す図である。
【図１５】マクロ削除画面の例を示す図である。
【図１６】ユーザ削除画面の例を示す図である。
【図１７】従来のデータファイル作成管理システムの構成を示すブロック図である。
【符号の説明】
【００６２】
１１−１〜１１−ｎ  ＤＢ（データベース）
１２−１〜１２−ｎ  サーバ
１３  ネットワーク
１７−１，１７−ｎ  事務所
１８−１，１８−ｎ  プリンタ
３０  データファイル作成管理システム
３２  ＷＥＢサーバ（データファイル作成管理装置）
３４−１〜３４−ｎ  パソコン端末装置
４１  ＷＥＢブラウザ
４２  表計算ソフトウェア
４３  データファイル
５１  マクロ管理処理部
５２  画面設定処理部
５３  データファイル作成処理部
５４  データファイル出力処理部
５５−１〜５５−ｎ  ＤＢ接続エンジン
５６  定義情報共有フォルダ
５７  作成済みデータファイル共有フォルダ
６１Ａ，６１Ｂ  マクロ定義ファイル群
６２  ＤＢマスタ定義ファイル
６３  テーブルマスタ定義ファイル
６３−１  テーブルマスタ１の定義ファイル
６１Ｃ−１  工場１の端末情報のマクロ定義ファイル
６５  データ取得条件設定画面
６５ａ，６５ｂ  新規ボタン
６５ｅ  ＤＢ名枠
６５ｆ  テーブル名枠
６５ｇ  項目名選択枠
６５ｈ  選択＞＞＞ボタン
６５ｉ  選択済みカラム枠
６５ｊ  選択解除ボタン
６５ｋ  取得条件枠
６５ｍ  設定＞＞＞ボタン
６５ｎ  設定済み取得条件枠
６５ｐ  クリアボタン
６５ｑ  ダウンロードボタン
６６  管理者用のデータ取得条件設定画面
６６ｃ，６６ｄ  削除ボタン
７１，７２  メッセージ
７３  データファイルダウンロード通知画面
７３ａ  ダウンロードボタン
７４  データファイルダウンロード決定画面
７４ａ  開くボタン
７４ｂ  保存ボタン
７４ｃ  キャンセルボタン
７５  データファイル一覧表
８１  新規ユーザ登録画面
８１ａ  ＯＫボタン
８２  新規マクロ登録画面
８３  マクロ削除画面
８３ａ  ＯＫボタン
８４  ユーザ削除画面
８４ａ  ＯＫボタン
【図１】
2008276462.tif 000003
【図２】
2008276462.tif 000004
【図３】
2008276462.tif 000005
【図４】
2008276462.tif 000006
【図５】
2008276462.tif 000007
【図６】
2008276462.tif 000008
【図７】
2008276462.tif 000009
【図８】
2008276462.tif 000010
【図９】
2008276462.tif 000011
【図１０】
2008276462.tif 000012
【図１１】
2008276462.tif 000013
【図１２】
2008276462.tif 000014
【図１３】
2008276462.tif 000015
【図１４】
2008276462.tif 000016
【図１５】
2008276462.tif 000017
【図１６】
2008276462.tif 000018
【図１７】
2008276462.tif 000019